(57)【要約】      （修正有）【課題】着用者の上半身を火から保護しつつ、第１の原液と第２の原液とを人力で混合させて発泡させることにより加圧手段を必要としない価格を抑えたフローティングジャケットを提供する。【解決手段】防炎布材で形成された短い胴着状の防炎ベスト部１０と、防炎布材で形成された防炎ベスト部の胸部、肩部１２及び背肩甲骨部に渡って設けられた袋部２０と、混合させると発泡凝固する第１の原液と第２の原液とを分離格納すると共に第１の原液と第２の原液とを人力で混合させて混合液を袋部に送り出す構造を有する浮力発生部３０とを備え、混合液が袋部内で充填発泡されることにより、袋部が所定の浮力を有する浮力体になることを特徴とする。【選択図】図１
2014177226.tif 000002
【特許請求の範囲】
【請求項１】
着用者を水上に浮かせ、頭部を水面上に位置させるためのフローティングジャケットにおいて、
防炎布材で形成された短い胴着状の防炎ベスト部と、
防炎布材で形成された該防炎ベスト部の胸部、肩部及び背肩甲骨部に渡って設けられた袋部と、
混合させると発泡凝固する第１の原液と第２の原液とを分離格納すると共に該第１の原液と該第２の原液とを人力で混合させて混合液を該袋部に送り出す構造を有する浮力発生部とを備え、
該混合液が該袋部内で充填発泡されることにより、該袋部が所定の浮力を有する浮力体になることを特徴とするフローティングジャケット。
【請求項２】
前記防炎ベスト部が、防炎布材で形成された頭部を覆う頭巾部を備えることを特徴とする請求項１記載のフローティングジャケット。
【請求項３】
前記防炎ベスト部の襟部分に、首周りを覆う太径状のネックガード部を備えることを特徴とする請求項１又は請求項２記載のフローティングジャケット。
【請求項４】
前記防炎ベスト部に、該防炎ベスト部が前記着用者の胸回り又は胴周りに密着するように該防炎ベスト部の胸回り又は胴周りを絞り込むベルト部を備えることを特徴とする請求項１〜請求項３のいずれかに記載のフローティングジャケット。
【請求項５】
前記防炎ベスト部又は前記袋部の表面に、光を発する発光部を備えることを特徴とする請求項１〜請求項４のいずれかに記載のフローティングジャケット。
【発明の詳細な説明】
【技術分野】
【０００１】
本発明は、海難事故や津波が発生した場合に着用する救命具としてのフローティングジャケットに関する。
【背景技術】
【０００２】
従来より、海難事故や津波が発生した場合に着用する救命具としての救命胴衣が、提案されている。一般の救命胴衣は、使用時に救命胴衣の内部に気体を送り込んで風船状に膨らませて浮力を得るものや、あらかじめ発泡凝固した発泡樹脂を備えたものがある。
【０００３】
それ以外の救命具の例としては、例えば、特許文献１に示されるものがある。この特許文献１の救命具は、使用時に、２つの発泡樹脂材料を混合して発泡凝固させるものである。より具体的には、内部に充填される充填物の発泡作用によって膨張する袋体と、発泡樹脂の生成に用いる複数の発泡樹脂材料を混合し、当該混合して成る混合材料を充填物として袋体の内部に充填する発泡樹脂充填装置とを備えている。
【０００４】
そして、特許文献１の救命具の発泡樹脂充填装置は、第１の発泡樹脂材料格納部と第２の発泡樹脂材料格納部とを同時に加圧する加圧手段を有すると共に、加圧されたことにより第１の発泡樹脂材料格納部と第２の発泡樹脂材料格納部より放出された第１の発泡樹脂材料と第２の発泡樹脂材料とを混合室で混合し、混合材料を袋体の内部に充填するための充填路を有している。
【先行技術文献】
【特許文献】
【０００５】
【特許文献１】特開２０１１−２５８８１号公報
【発明の概要】
【発明が解決しようとする課題】
【０００６】
しかしながら、従来の救命具では、発泡樹脂等により所定の浮力を確保することは可能であるが、上半身を火から守る機能はなく、火から上半身を守ることが困難である。また、使用時に、２つの発泡樹脂材料を混合して発泡凝固させるものは、２つの発泡樹脂材料を加圧しないと十分に混合されず、加圧手段が複雑で高価なことから、救命具自体の価格を抑えることができない。
【０００７】
本発明は、このような事情に鑑みてなされたもので、着用者の上半身を火から保護しつつ、第１の原液と第２の原液とを人力で混合させて発泡させることにより加圧手段を必要としない価格を抑えたフローティングジャケットを提供することにある。
【課題を解決するための手段】
【０００８】
請求項１記載のフローティングジャケットは、防炎布材で形成された短い胴着状の防炎ベスト部と、防炎布材で形成された防炎ベスト部の胸部、肩部及び背肩甲骨部に渡って設けられた袋部と、混合させると発泡凝固する第１の原液と第２の原液とを分離格納すると共に第１の原液と第２の原液とを人力で混合させて混合液を袋部に送り出す構造を有する浮力発生部とを備え、混合液が袋部内で充填発泡されることにより、袋部が所定の浮力を有する浮力体になることを特徴とする。
【０００９】
請求項２記載のフローティングジャケットは、防炎ベスト部が、防炎布材で形成された頭部を覆う頭巾部を備えることを特徴とする。
【００１０】
請求項３記載のフローティングジャケットは、防炎ベスト部の襟部分に、首周りを覆う太径状のネックガード部を備えることを特徴とする。
【００１１】
請求項４記載のフローティングジャケットは、防炎ベスト部に、防炎ベスト部が着用者の胸回り又は胴周りに密着するように防炎ベスト部の胸回り又は胴周りを絞り込むベルト部を備えることを特徴とする。
【００１２】
請求項５記載のフローティングジャケットは、防炎ベスト部又は袋部の表面に、光を発する発光部を備えることを特徴とする。
【発明の効果】
【００１３】
請求項１の発明によれば、防炎布材で形成された短い胴着状の防炎ベスト部を有すると共に、混合させると発泡凝固する第１の原液と第２の原液とを分離格納すると共に第１の原液と第２の原液とを人力で混合させて混合液を袋部に送り出す構造を有する浮力発生部とを備え、混合液が袋部内で充填発泡されることにより、袋部が所定の浮力を有する浮力体になることから、着用者の上半身を火から保護しつつ、人力で第１の原液と第２の原液とを人力で混合させて発泡させることから加圧手段を必要とせず、フローティングジャケットの価格を抑えることができる。
【００１４】
請求項２の発明によれば、防炎ベスト部が、防炎布材で形成された頭部を覆う頭巾部を備えることから、着用者の頭部の保護が可能で、特に火からも頭部を守ることができる。
【００１５】
請求項３の発明によれば、防炎ベスト部の襟部分に、首周りを覆う太径状のネックガード部を備えることから、着用者の首回りを保護することができる。
【００１６】
請求項４の発明によれば、防炎ベスト部に、防炎ベスト部が着用者の胸回り又は胴周りに密着するように防炎ベスト部の胸回り又は胴周りを絞り込むベルト部を備えることから、フローティングジャケットに急激に浮力が生じた場合でも、脱衣を防止できる。
【００１７】
請求項５の発明によれば、防炎ベスト部又は袋部の表面に、光を発する発光部を備えることから、遭難時、着用者が発見されやすくなる。
【図面の簡単な説明】
【００１８】
【図１】本発明に係るフローティングジャケットの一例を示す正面図である。
【図２】同フローティングジャケットの側面図である。
【図３】同フローティングジャケットの背面図である。
【図４】同フローティングジャケットの動作を示す側面図である。
【図５】同フローティングジャケットの使用方法を示す側面図である。
【図６】本発明に係るフローティングジャケットの他の一例を示す正面図である。
【図７】本発明に係るフローティングジャケットのさらに他の一例を示す正面図である。
【発明を実施するための形態】
【００１９】
以下、本発明の形態について図面を参照しながら具体的に説明する。図１は、本発明に係るフローティングジャケットの一例を示す正面図である。図２は、同フローティングジャケットの側面図である。図３は、同フローティングジャケットの背面図である。図４は、同フローティングジャケットの動作を示す側面図である。図５は、同フローティングジャケットの使用方法を示す側面図である。図６は、本発明に係るフローティングジャケットの他の一例を示す正面図である。図７は、本発明に係るフローティングジャケットのさらに他の一例を示す正面図である。
【００２０】
本発明に係るフローティングジャケット１は、海難事故や津波が発生した場合に着用する救命具としての救命胴衣であり、着用者を水上に浮かせ、頭部を水面上に位置させるためのものである。フローティングジャケット１は、防炎布材で形成された短い胴着状の防炎ベスト部１０に、袋部２０と浮力発生部３０等が設けられている。
【００２１】
防炎ベスト部１０は、基本的には、着用者が被るように着用するベスト状で、三酸化アンチモン加工を施したポリ塩化ビニール（ＰＶＣ）等の防炎布材で形成されている。尚、本実施の形態のフローティングジャケット１の防炎ベスト部１０には、防炎ベスト部１０と同様な防炎布材で形成された頭部を覆う頭巾部１６を備えている。また、防炎ベスト部１０には、防炎ベスト部１０と同様な防炎布材で形成された着用者の肩を覆う肩部１２が設けられている。
【００２２】
さらに、防炎ベスト部１０の襟部分には、着用者の首周りを覆う太径状のネックガード部３８を備えている。このネックガード部３８は、発泡樹脂等の浮力と弾力性のある材料を、防炎ベスト部１０と同様な防炎布材で覆って形成させたもので、平面視で略Ｕ字系で、正面の離間部分には、ガード紐３８ａが分け渡された状態で紐絞り具３８ｂで束ねられている。そして、フローティングジャケット１を着用した時に、着用者がこの紐絞り具３８ｂの位置を調整することでガード紐３８ａの絞られ具合を調整し、ネックガード部３８の正面の離間部分の隙間を拡縮することで、ネックガード部３８が首回りに密着するようにする。
【００２３】
尚、図１〜図５に示す防炎ベスト部１０は、大人用のサイズのもので、着用者がフローティングジャケット１を着用した状態で、防炎ベスト部１０を着用者の胸回りに密着させるように着用者の胸回りを絞り込むベルト部１４が設けられている。このベルト部１４は、細巾織物や紐製で、例えば、ベルトの端を引くことにより、胸回りに沿うように絞り込まれるような構造である。尚、胸回りに沿うように絞り込まれるような構造であればよい。
【００２４】
フローティングジャケット１の防炎ベスト部１０には、防炎ベスト部１０の胸部、肩部及び背肩甲骨部に渡って袋部２０が設けられている。袋部２０は、通常は、中には何もなく、図４に示すように萎んだ状態になっている。また、袋部２０は、三酸化アンチモン加工を施したポリ塩化ビニール（ＰＶＣ）等の防炎布材で形成されている。
【００２５】
袋部２０の正面には、浮力発生部３０が設けられている。浮力発生部３０は、混合させると発泡凝固する第１の原液と第２の原液とを分離格納すると共に第１の原液と第２の原液とを人力で混合させて混合液を袋部２０に送り出す構造を有している。第１の原液は、イソシアネート系の樹脂剤で、第２の原液は、ポリオール系の樹脂剤であり、手の力で混合する程度の圧力で、袋部２０内に充填発泡されるものが好ましい。
【００２６】
そして、第１の原液と第２の原液の混合液が袋部２０内で充填発泡されることにより、袋部２０が所定の浮力を有する浮力体になる。尚、図４は、第１の原液と第２の原液の混合液が袋部２０内で充填発泡されていない状態を示し、図１〜図３は、第１の原液と第２の原液の混合液が袋部２０内で充填発泡された状態を示している。
【００２７】
尚、図のフローティングジャケット１の袋部２０の胸部分には、ホイッスル用ポケット２６が設けられ、ホイッスル６が収納されている。ホイッスル用ポケット２６及びホイッスル６は必須ではないが、備える方が好ましく、ホイッスル６以外にも必要な物を収納するポケットをフローティングジャケット１に設けるようにしてもよい。
【００２８】
次に、本実施の形態におけるフローティングジャケット１の使用方法を説明する。まず、浮力発生部３０が、袋部２０内に第１の原液と第２の原液との混合液が混合充填されていない状態（袋部２０が萎んだ状態）で、着用者は、体の上から被るように防炎ベスト部１０を着用する。そして、頭を頭巾部１６で覆う。そして、ベルト部１４により、防炎ベスト部１０を胸回りに密着させ、さらに、ネックガード部３８のガード紐３８ａの紐絞り具３８ｂを調整して、首回りにネックガード部３８が密着するようにする。
【００２９】
この状態で、フローティングジャケット１の着用は終わっているが、さらに、頭部を保護するために、図５に示すように、頭巾部１６の上からヘルメット８を被るようにしてもよい。
【００３０】
そして、落水した場合や津波に襲われた時には、浮力発生部３０を操作して、第１の原液と第２の原液との混合液が袋部２０に混合充填されるようにする。すると、第１の原液と第２の原液との混合液が袋部２０内で、発泡凝固し、袋部２０内が発泡樹脂で満たされることになり（図４に対し、図１〜図３参照）、フローティングジャケット１が全体として、着用者を水面に浮かせる浮力が発生する。
【００３１】
以上のような本実施の形態のフローティングジャケット１によれば、防炎布材で形成された短い胴着状の防炎ベスト部１０を有すると共に、混合させると発泡凝固する第１の原液と第２の原液とを分離格納すると共に第１の原液と第２の原液とを人力で混合させて混合液を袋部２０に送り出す構造を有する浮力発生部３０とを備え、混合液が袋部２０内で充填発泡されることにより、袋部２０が所定の浮力を有する浮力体になることから、着用者の上半身を火から保護しつつ、人力で第１の原液と第２の原液とを人力で混合させて発泡させることから加圧手段を必要とせず、フローティングジャケット１の価格を抑えることができる。
【００３２】
また、防炎ベスト部１０に、防炎布材で形成された頭部を覆う頭巾部１６を設けるようにすることで、着用者の頭部の保護が可能で、特に火からも頭部を守ることができる。
【００３３】
さらに、防炎ベスト部１０の襟部分に、首周りを覆う太径状のネックガード部３８を設けるようにすることで、着用者の首回りを保護することができる。
【００３４】
フローティングジャケットの他の例としては、図６に示すフローティングジャケット２がある。図６に示すフローティングジャケット２は、フローティングジャケット１と同様に、防炎ベスト部４０、肩部４２、頭巾部４６、ネックガード部３８、袋部２０及び浮力発生部３０を有している。但し、フローティングジャケット２は、子供用で、防炎ベスト部４０の身の丈がフローティングジャケット１に比べて小さくなっている。そして、子供用の場合、子供の胸厚がなく体重も軽いので、水に浮かんだときにフローティングジャケット２が上方向に脱げてしまう場合があるため、ベルト部４４は、腰回りに密着するように設けられている。また、フローティングジャケット２の脱離を防止するため、防炎ベスト部４０の下端から股をくぐらせるように股ベルト４８を回すような構造にしてもよい。
【００３５】
このように、防炎ベスト部１０，４０に、防炎ベスト部１０，４０が着用者の胸回り又は胴周りに密着するように防炎ベスト部１０，４０の胸回り又は胴周りを絞り込むベルト部１４，４４を設けるようにすることで、フローティングジャケット１，２に急激に浮力が生じた場合でも、脱衣を防止できる。
【００３６】
また、図７に示すフローティングジャケット３にように、発光部５０を防炎ベスト部１０や袋部２０に設けるようにしてもよい。図７の発光部５０は、チューブ材にＬＥＤ５２を縦列配置し、光を発光するようにしたものである。防炎ベスト部１０や袋部２０の表面に、光を発する発光部５０を設けることで、遭難時、着用者が発見されやすくなる。尚、光を発する手段は、ＬＥＤに限定されるものではなく、電球でもよく、また電源として乾電池を用いたり、太陽光パネルでの発電で充電できる二次電池等であってもよく、フローティングジャケット３に設けられた発光部５０が、光を発することができれば、その構造によって制限されるものではない。
【産業上の利用可能性】
【００３７】
以上のように、本発明によれば、着用者の上半身を火から保護しつつ、第１の原液と第２の原液とを人力で混合させて発泡させることにより加圧手段を必要としない価格を抑えたフローティングジャケットを提供することができる。
【符号の説明】
【００３８】
１・・・・・フローティングジャケット
２・・・・・フローティングジャケット
３・・・・・フローティングジャケット
６・・・・・ホイッスル
８・・・・・ヘルメット
１０・・・・防炎ベスト部
１２・・・・肩部
１４・・・・ベルト部
１６・・・・頭巾部
２０・・・・袋部
２６・・・・ホイッスル用ポケット
３０・・・・浮力発生部
３８・・・・ネックガード部
３８ａ・・・ガード紐
３８ｂ・・・紐絞り具
４０・・・・防炎ベスト部
４２・・・・肩部
４４・・・・ベルト部
４６・・・・頭巾部
４８・・・・股ベルト
５０・・・・発光部
５２・・・・ＬＥＤ
【図１】
2014177226.tif 000003
【図２】
2014177226.tif 000004
【図３】
2014177226.tif 000005
【図４】
2014177226.tif 000006
【図５】
2014177226.tif 000007
【図６】
2014177226.tif 000008
【図７】
2014177226.tif 000009